(57)【要約】【課題】  装置本体の使用環境に影響されることなく、液晶表示パネルを最適な視野角に設定する。【解決手段】  装置本体の下部に拡張機器が装着可能な電子機器において、前記装置本体には、液晶表示パネルが回動可能に支持され、さらに、前記液晶表示パネルを回動するためのスライド部材が摺動可能に保持されており、前記拡張機器には、前記装置本体と位置決めするための突起部が設けられており、前記拡張機器を前記装置本体へ装着すると、前記位置決めのための突起部が、前記スライド部材を摺動させ、さらに、前記スライド部材の摺動動作により、前記液晶表示パネルは回動し、表示面の角度調整が可能なことを特徴とする表示装置。【選択図】  図１
2006171265.tif 000002
【特許請求の範囲】
【請求項１】
装置本体の下部に拡張機器が装着可能な電子機器において、前記装置本体には、液晶表示パネルが回動可能に支持され、さらに、前記液晶表示パネルを回動するためのスライド部材が摺動可能に保持されており、前記拡張機器には、前記装置本体と位置決めするための突起部が設けられており、
前記拡張機器を前記装置本体へ装着すると、前記位置決めのための突起部が、前記スライド部材を摺動させ、さらに、前記スライド部材の摺動動作により、前記液晶表示パネルは回動し、表示面の角度調整が可能なことを特徴とする表示装置。
【請求項２】
装置本体の下部には、同一の拡張機器が複数装着可能であり、前記装置本体へ装着された拡張機器の数量に応じて、液晶表示パネルの角度が、自動で調整可能なことを特徴とする請求項１記載の表示装置。
【発明の詳細な説明】
【技術分野】
【０００１】
本発明は、液晶表示パネルを用いた表示装置に関する。液晶表示パネルは、視野角が比較的狭いものである。従って、表示内容を誤りなく認識するためには、最適な位置から液晶表示パネルの表示面を目視する必要がある。
【背景技術】
【０００２】
液晶表示パネルは、各種の構成が知られているが、透過光又は、反射光を利用して表示するものであり、発行体によって表示するブラウン管等と相違して、視野角が比較的狭いものである。一般的には、視野角は、表示面と直交する中心線に対して左右、上下対称の角度でない場合が多い。このために、表示内容の認識が容易となるように調整する構造が採用されている。
【０００３】
例えば、複写機、記録装置に液晶表示パネルが適応されている。多くの場合、表示面の角度は固定されており、全ての操作者が表示内容を識別できるように、最適な視野角に設定されている。
【０００４】
また、別の方法としては、液晶表示パネルを回動軸によって、回動可能に支持し、操作者が表示内容を認識できるように、手動で回動できるものがある。通常、操作者は、視線が表示面と直交するように、液晶表示パネルを調整している。
【０００５】
さらに、別の方法として、特許文献１がある。ラップトップ型ワープロやパソコン等に適用された液晶表示パネルであり、表示面のほぼ中心位置に、操作者の視線が来るように、自動で調整できるようにしたものである。
【０００６】
具体的には、液晶表示パネルを回動軸により回動可能に支持し、この液晶表示パネルの視野角のほぼ中心方向に指向性光線を照射する視野角度調整用光線照射部を設ける。さらに、回動軸は、液晶表示パネルを回動可能とすると共に、調整位置に停止させる構成を有するもので、既に知られている各種の構成を適用することができる。例えば、モータによって回動できる構成とし、回動停止位置にロックできるようにブレーキ等を設けることもできる。又は、電磁石とラチェット機構とを組み合わせて、電磁石に加えるパルス数に対応して、回動軸を順次回動させる構成を適用することもできる。そして、視線角度調整用光線照射部からの指向性光線を目視できる位置に、液晶表示パネルをモータ等による回動駆動部によって回動する。それにより、視線を液晶表示パネルのほぼ中心位置にくるように調整する。
【特許文献１】特開２０００−１９４２７１号公報
【発明の開示】
【発明が解決しようとする課題】
【０００７】
しかしながら、上述した従来の技術では以下の問題があった。
【０００８】
すなわち、液晶表示パネルの角度を固定したものの場合は、液晶表示パネルの視野角が狭いことから、表示面を全ての操作者に対して最適な視野角に設定することができない。例えば、オプションフィーダーが装着可能な記録装置においては、オプションフィーダーの有無により、液晶表示パネルの高さが変わってしまう。液晶表示パネルの視野角を変えずに、表示面の高さを変更すると、表示内容を認識できないという問題が生じてしまう。
【０００９】
また、液晶表示パネルを回動軸によって、手動で回動可能に支持したものの場合は、操作者が頻繁に表示面の角度を設定し直さなければならず、手間が掛かる等の問題があった。
【００１０】
また、液晶表示パネルの表示面を操作者の視線のほぼ中心位置に自動で調整できるようにしたものの場合は、上記に概略構成を示したが、液晶表示パネルの回動軸を駆動するために、モータ等の駆動源が必要である。さらに、液晶表示パネルの視野角のほぼ中心方向に指向性光線を照射する視野角度調整用光線照射部等を設ける必要がある。このため、部品点数が増加してしまい、コストが高くなっていた。
【課題を解決するための手段】
【００１１】
上記課題を解決するために本発明は、装置本体の下部に拡張機器が装着可能な電子機器において、前記装置本体には、液晶表示パネルが回動可能に支持され、さらに、前記液晶表示パネルを回動するためのスライド部材が摺動可能に保持されている。
【００１２】
さらに、前記拡張機器には、前記装置本体と位置決めするための突起部が設けられており、前記拡張機器を前記装置本体へ装着すると、前記位置決めのための突起部が、前記スライド部材を摺動させ、さらに、前記スライド部材の摺動動作により、前記液晶表示パネルは回動し、表示面の角度調整が可能なことを特徴とする。
【００１３】
さらに、請求項２に係る発明にあっては、装置本体の下部には、同一の拡張機器が複数装着可能であり、前記装置本体へ装着された拡張機器の数量に応じて、液晶表示パネルの角度が、自動で調整可能なことを特徴とする。
【発明の効果】
【００１４】
以上説明したように、本発明は、オプションカセット等の拡張機器を装置本体に装着した場合に、自動的に液晶表示パネルが、最適な視野角へ調整されるようにした。これにより、装置本体の使用環境に影響されることなく、液晶表示パネルを最適な視野角に設定することが可能となるために、表示内容の視認性が向上する。
【００１５】
さらに、従来技術においても、自動的に表示パネルの角度を調整できるものがあったが、この場合は、液晶表示パネルを回動するために駆動源としてモータや、操作者の視線の位置を認識するための視野角度調整用光線照射部等が必要となり、コストが高くなっていた。さらに、部品点数がかなり増加してしまい、構成が煩雑となっていた。
【００１６】
しかしながら、本発明によれば、表示角度を調整するために、バネ、スライド棒を追加するだけであるので、構成も煩雑にならず、また、コストも本発明の構造がない場合と比べてほとんど変わらない。
【発明を実施するための最良の形態】
【００１７】
次に、本発明の実施の形態について図面を参照して説明する。
【００１８】
図１、図２、図３、図４を参照して、本実施の形態の外観構成を説明する。
【００１９】
図１は、本実施の形態に係る液晶表示パネルを有する記録装置本体の外観斜視図、図２は、本実施の形態に係る記録装置本体の底面を示した外観斜視図、図３は、本実施の形態に係るオプションカセットの外観斜視図、図４は、本実施の形態に係るオプションカセットの底面を示した外観斜視図である。
【００２０】
記録装置本体１は、中空構造体を形成した外装ケース２内部に、駆動部を有する装置本体（不図視）が具備されており、さらに、操作パネル４等が取り付けられている。操作パネル４には、液晶表示パネル３が回動可能に支持されており、表示面の角度α0は、全ての操作者が表示内容を識別できるように、最適な角度に設定されている。さらに、記録装置本体１の底面には、オプションカセット１１との接続用コネクタ５、位置決め用穴６、ゴム足７、８、９、10等が具備されている。
【００２１】
オプションカセット１１は、記録装置本体１と同様に、中空構造体を形成した外装ケース12の内部に、駆動部（不図視）等が具備されている。さらに、オプションカセット１１の外観には、記録装置本体１との接続用コネクタ13、位置決めピン１４等が設けられている。ここで、本実施の形態のオプションカセット１１は、オプションカセット同士も接続可能である。このため、オプションカセット１１の底面には、別のオプションカセット１１との接続用コネクタ15、位置決め用穴１６、ゴム足１７、１８、１９、２０等が設けられている。
【００２２】
次に、図５、図６を参照して記録装置本体１とオプションカセット１１が装着された場合について説明する。図５は、記録装置本体に一段のオプションカセットが装着された状態を示す外観斜視図であり、図６は、記録装置本体に二段のオプションカセットが装着された状態を示す外観斜視図である。記録装置本体１にオプションカセット１１を装着する場合は、記録装置本体１の位置決め穴6をオプションカセット１１の位置決めピン１４に合わせた後、オプションカセット１１の上に記録装置本体１を積載する。この状態では、記録装置本体１の接続用コネクタ５とオプションカセット１１の接続用コネクタ１３がかん合しており、電気的に導通している。さらに、液晶表示パネル３の角度α１は、オプションカセット１１が装着されていない場合の角度α0と比較して、小さい角度（α０＞α１）へ自動的に調整されている。
【００２３】
さらに、二段目のオプションカセット１１を装着した場合について説明する。二段目のオプションカセット１１を装着する場合は、上記のように結合状態となっている装置を、一段目のオプションカセット１１の位置決め穴１６と、二段目のオプションカット１１の位置決めピン１４を合わせた後、二段目のオプションカセット１１の上に積載する。この状態では、一段目のオプションカセット１１の接続用コネクタ１５と、二段目のオプションカセット１１の接続用コネクタ１３がかん合しており、記録装置本体１、１段目、２段目のオプションカセット１１は電気的に導通している。さらに、液晶表示パネル３の角度α２は、α１と比較して小さい角度（α０＞α１＞α２）へ自動的に調整されている。
【００２４】
次に、液晶表示パネル３の角度が、オプションカセット１１を装着した場合に、自動的にα0、α1、α2へと調整されるところの構造を説明する。
【００２５】
図７、図８は、記録装置本体内の主要部分を示す斜視図である。液晶表示パネル３は、操作パネル４に対して、回動中心２１を中心軸として、回動可能に支持されている。さらに、液晶表示パネル３は、バネ２２により矢印２３方向へ付勢されている。さらに、外装ケース２には、液晶表示パネル３を押し上げるためのスライド棒２４が摺動可能に装着され、スライド棒２４を矢印２３方向へ付勢するためのバネ２７が具備されている。このスライド棒２４と液晶表示パネル３は、スライド棒の先端部分２５と突起部２６で接触しており、スライド棒２４の摺動により、液晶表示パネル３の角度を調整できるようになっている。スライド棒２４の摺動は、オプションカセット１１の位置決めピン１４の出し入れにより行う。
【００２６】
次に、オプションカセット１１の主要部分の説明を図９、図１０を参照して説明する。図９、図１０はオプションカセットの主要部分を示した斜視図である。オプションカセット１１には、図１１に示すような円筒形状をした位置決めピン１４が具備されている。位置決めピン１４は、外装ケース１２に設けた円筒形状のガイド２７により、周囲をガイドされ摺動可能に固定されている。さらに、位置決めピン１４はバネ２８により、矢印２９方向へ付勢されている。
【００２７】
このようなオプションカセット１１を記録装置本体１へ装着した状態を示したのが図１２である。図１２は、オプションカセットを記録装置本体へ装着した状態を示す断面図である。オプションカセット１１を記録装置本体へ装着する場合は、上述したが、まず、記録装置本体１に設けた位置決め穴６に、オプションカセット１１の位置決めピン１４を挿入する。挿入された位置決めピン１４は、スライド棒２４を上方へ押し上げ、さらに、スライド棒の先端２５が、液晶表示パネル３を上方へ押し上げる。これにより、液晶表示パネル３の角度は、α0からα１（α０＞α１）へと変更される。
【００２８】
さらに、二段目のオプションカセットを装着した状態を示したのが図１３である。図１３は、二段のオプションカセットが記録装置本体へ装着された状態を示す断面図である。二段目のオプションカセット１１を装着する場合は、上述したが、一段目のオプションカセット１１の位置決め穴１６を、二段目のオプションカット１１の位置決めピン１４に合わせた後、上記で説明したようにして、結合状態となった装置を、二段目のオプションカセット１１の上に積載する。こうすると、二段目のオプションカセットの位置決めピン１４は、一段目のオプションカセットの位置決めピン１４を押し上げ、さらに、記録装置本体１のスライド棒をも押し上げる。これにより、液晶表示パネル３の角度は、α１からα２（α０＞α１＞α２）へと変更される。
【００２９】
このように、オプションカセット１１を装着することにより、液晶表示パネル３の高さが高くなるが、表示面の角度をオプションカセット１１の着脱と連動して調整することにより、常に、操作者に対して最適な視野角を保つことができる。
【図面の簡単な説明】
【００３０】
【図１】本実施の形態に係る液晶表示パネルを有する記録装置本体の外観斜視図。
【図２】本実施の形態に係る記録装置本体の底面を示した外観斜視図。
【図３】本実施の形態に係るオプションカセットの外観斜視図。
【図４】本実施の形態に係るオプションカセットの底面を示した外観斜視図。
【図５】記録装置本体に一段のオプションカセットが装着された状態を示す外観斜視図。
【図６】記録装置本体に二段のオプションカセットが装着された状態を示す外観斜視図。
【図７】記録装置本体内の主要部分を示す斜視図。
【図８】記録装置本体内の主要部分を示す斜視図。
【図９】オプションカセットの主要部分を示した斜視図。
【図１０】オプションカセットの主要部分を示した斜視図。
【図１１】位置決めピンの外観斜視図。
【図１２】オプションカセットが記録装置本体に装着された状態を示す断面図。
【図１３】二段のオプションカセットが記録装置本体に装着された状態を示す断面図。
【符号の説明】
【００３１】
１  記録装置本体
２  外装ケース
３  液晶表示パネル
４  操作パネル
５  接続用コネクタ
６  位置決め用穴
７、８、９、１０  ゴム足
１１  オプションカセット
１２  外装ケース
１３  接続用コネクタ
１４  位置決めピン
１６  位置決め用穴
１７、１８、１９、２０  ゴム足
２１  回動中心
２２  バネ
２３、２９  矢印
２４  スライド棒
２５  スライド棒先端
２６  突起部
２７  バネ
２８  バネ
【図１】
2006171265.tif 000003
【図２】
2006171265.tif 000004
【図３】
2006171265.tif 000005
【図４】
2006171265.tif 000006
【図５】
2006171265.tif 000007
【図６】
2006171265.tif 000008
【図７】
2006171265.tif 000009
【図８】
2006171265.tif 000010
【図９】
2006171265.tif 000011
【図１０】
2006171265.tif 000012
【図１１】
2006171265.tif 000013
【図１２】
2006171265.tif 000014
【図１３】
2006171265.tif 000015